【手続補正書】
【提出日】平成26年5月23日(2014.5.23)
【手続補正１】
【補正対象書類名】特許請求の範囲
【補正対象項目名】全文
【補正方法】変更
【補正の内容】
【特許請求の範囲】
【請求項１】
メディアプロバイダから伝送されたメディアに基づいて、メディアのレンダリングを第１のレンダリングデバイスから第２のレンダリングデバイスへと転送する方法であって、
前記第２のレンダリングデバイスのネットワーク位置を提供するステップと、
前記第１のレンダリングデバイスと前記メディアプロバイダとの間のネットワーク接続に関するセッションコンテキストを前記第２のレンダリングデバイスへと提供するステップと、
前記ネットワーク位置および前記セッションコンテキストに基づいて、前記メディアプロバイダと前記第２のレンダリングデバイスとの間にネットワーク接続を確立するステップと、
前記メディアのレンダリングの実質的中断を回避するように、前記メディアの所望の伝送複製をノードおよびサービス発見プロシージャ時において得た情報に基づいて決定するステップと、
前記メディアの所望の伝送複製を前記メディアプロバイダから前記第１のレンダリングデバイスおよび前記第２のレンダリングデバイスへと伝送するステップと、
前記メディアプロバイダから前記第２のレンダリングデバイスへの前記メディアの伝送を継続するステップと、から構成されることを特徴とする方法。
【請求項２】
前記第２のレンダリングデバイスの前記ネットワーク位置を前記提供することは、前記第１のレンダリングデバイスから提供される、請求項１に記載の方法。
【請求項３】
前記第２のレンダリングデバイスの前記ネットワーク位置を前記提供することは、トリガーイベントに応答して、前記第１のレンダリングデバイスから提供される、請求項２に記載の方法。
【請求項４】
前記メディアの前記所望の伝送複製における伝送後、前記メディアプロバイダから前記第１のレンダリングデバイスへの前記メディアの伝送を停止することをさらに含む、請求項１に記載の方法。
【請求項５】
システムであって、
メディアプロバイダと、
メモリに連結するプロセッサを含む第１のレンダリングデバイスと、
メモリに連結するプロセッサを含む第２のレンダリングデバイスと、を含み、
前記第１のレンダリングデバイスは、前記第２のレンダリングデバイスのネットワーク位置を提供するステップと、前記第１のレンダリングデバイスと前記メディアプロバイダとの間のネットワーク接続に関するセッションコンテキストを前記第２のレンダリングデバイスへと提供するステップとから構成され、
前記メディアプロバイダは、前記ネットワーク位置および前記セッションコンテキストに基づいて、前記メディアプロバイダと前記第２のレンダリングデバイスとの間にネットワーク接続を確立するステップと、から構成され、
前記メディアのレンダリングの実質的中断を回避するように、前記メディアの所望の伝送複製を決定するステップと、
前記メディアの所望の伝送複製を前記メディアプロバイダから前記第１のレンダリングデバイスおよび前記第２のレンダリングデバイスへと伝送するステップと、
前記メディアプロバイダから前記第２のレンダリングデバイスへの前記メディアの伝送を継続するステップと、から構成されることを特徴とするシステム。
【請求項６】
前記第１のレンダリングデバイスは、トリガーイベントに応答して、前記第２のレンダリングデバイスの前記ネットワーク位置を提供するように更に構成されることを特徴とする、請求項５に記載のシステム。
【請求項７】
メディアサーバは、前記メディアの所望の伝送複製の伝送後、前記メディアプロバイダから前記第１のレンダリングデバイスへの伝送を止めるよう構成されることを特徴とする、請求項５に記載のシステム。
【請求項８】
メディアを提供する方法であって、
サービス接続を確立するため、第１のレンダリングデバイスからサービス要求を受信するステップと、
前記第１のレンダリングデバイスへ伝送するステップと、
前記第１のレンダリングデバイスから第２のレンダリングデバイスへの前記メディアのレンダリングの転送する要求を受信するステップと、
前記ネットワーク位置および前記第２のレンダリングデバイスに提供するセッションコンテキストに基づいて、前記メディアプロバイダと前記第２のレンダリングデバイスとの間にネットワーク接続を確立するステップと、前記セッションコンテキストは前記第１のレンダリングデバイスと前記メディアプロバイダとの間のネットワーク接続に関することを特徴とし、
前記メディアのレンダリングの実質的中断を回避するように、前記メディアの所望の伝送複製をノードおよびサービス発見プロシージャ時において得た情報に基づいて決定するステップと、
前記メディアの所望の伝送複製を前記メディアプロバイダから前記第１のレンダリングデバイスおよび前記第２のレンダリングデバイスへと伝送するステップと、
前記メディアプロバイダから前記第２のレンダリングデバイスへの前記メディアの伝送を継続するステップと、から構成されることを特徴とする方法。
【請求項９】
前記メディアの前記所望の伝送複製における伝送後、前記メディアプロバイダから前記第１のレンダリングデバイスへの前記メディアの伝送を停止することをさらに含む、請求項８に記載の方法。
【請求項１０】
メディアプロバイダであって、
メモリに格納され、プロセッサによって実行されるモデュールを含み、サービス接続を確立するため、第１のレンダリングデバイスからサービス要求を受信するために構成され、
前記第１のレンダリングデバイスへ伝送するためと、
前記第１のレンダリングデバイスから第２のレンダリングデバイスへの前記メディアのレンダリングの転送する要求を受信するためと、
前記ネットワーク位置および前記第２のレンダリングデバイスに提供するセッションコンテキストに基づいて、前記メディアプロバイダと前記第２のレンダリングデバイスとの間にネットワーク接続を確立するためと、前記セッションコンテキストは前記第１のレンダリングデバイスと前記メディアプロバイダとの間のネットワーク接続に関することを特徴とし、
前記メディアのレンダリングの実質的中断を回避するように、前記メディアの所望の伝送複製をノードおよびサービス発見プロシージャ時において得た情報に基づいて決定するためと、
前記メディアの所望の伝送複製を前記メディアプロバイダから前記第１のレンダリングデバイスおよび前記第２のレンダリングデバイスへと伝送するためと、
前記メディアプロバイダから前記第２のレンダリングデバイスへの前記メディアの伝送を継続するために構成されることを特徴とするメディアプロバイダ。
【請求項１１】
前記メディアの前記所望の伝送複製における伝送後、前記メディアプロバイダから前記第１のレンダリングデバイスへの前記メディアの伝送を停止することをさらに含む、請求項１０に記載のメディアプロバイダ。
【請求項１２】
メディアサーバからメディアストリームを受信するために構成されたことを特徴とする請求項１０に記載のメディアプロバイダ。
【請求項１３】
前記メディアプロバイダは前記第１のレンダリングデバイスに共に配置されることを特徴とする請求項１０に記載のメディアプロバイダ。
【請求項１４】
前記メディアプロバイダはゲートウェイデバイスに配置されることを特徴とする請求項１０に記載のメディアプロバイダ。
【請求項１５】
コンピュータ・プログラム製品であって：
サービス接続を確立するため、第１のレンダリングデバイスからサービス要求を受信するステップと、
前記第１のレンダリングデバイスへ伝送するステップと、
前記第１のレンダリングデバイスから第２のレンダリングデバイスへの前記メディアのレンダリングの転送する要求を受信するステップと、
前記ネットワーク位置および前記第２のレンダリングデバイスに提供するセッションコンテキストに基づいて、前記メディアプロバイダと前記第２のレンダリングデバイスとの間にネットワーク接続を確立するステップと、前記セッションコンテキストは前記第１のレンダリングデバイスと前記メディアプロバイダとの間のネットワーク接続に関することを特徴とし、
前記メディアのレンダリングの実質的中断を回避するように、前記メディアの所望の伝送複製をノードおよびサービス発見プロシージャ時において得た情報に基づいて決定するステップと、
前記メディアの所望の伝送複製を前記メディアプロバイダから前記第１のレンダリングデバイスおよび前記第２のレンダリングデバイスへと伝送するステップと、
前記メディアプロバイダから前記第２のレンダリングデバイスへの前記メディアの伝送を継続するステップと、
を実行するコンピュータ実行可能なプログラム・インストラクションを格納する持続性媒体を含むコンピュータ・プログラム製品。
【請求項１６】
前記メディアの前記所望の伝送複製における伝送後、前記メディアプロバイダから前記第１のレンダリングデバイスへの前記メディアの伝送を停止することをさらに含む、請求項１５に記載のコンピュータ・プログラム製品。